(57)【要約】      （修正有）【課題】大型のパネル部材をその一側からアクセスして搬送する場合にも、パネル部材の変形,破損を生じることなく、かつ良好な作業性でもって搬送できるワーク搬送用補助具を提供する。【解決手段】開口の一側から他側に延びる支持部材８と、該支持部材８の一側端部に設けられ、前記開口の一側縁部１ｅに係止する第１係止部９と、前記支持部材８の他側端部に設けられ、前記開口の他側縁部１ｆに係止する第２係止部１０と、前記第１係止部９,第２係止部１０を互いに離間する方向に付勢するばね１３と、前記支持部材８に設けられ、該支持部材を操作可能とする把手１４とを備えたワーク搬送用補助具２である。【選択図】図２
2013136284.tif 000002
【特許請求の範囲】
【請求項１】
開口を有するパネル部材を搬送する際に用いられるワーク搬送用補助具であって、
前記開口の一側から他側に延びる支持部材と、該支持部材の一側端部に設けられ、前記開口の一側縁部に係止する第１係止部と、前記支持部材の他側端部に設けられ、前記開口の他側縁部に係止する第２係止部と、前記第１係止部,第２係止部を互いに離間する方向に付勢する付勢部材と、前記支持部材に設けられ、該支持部材を操作可能とする把手と
を備えたことを特徴とするワーク搬送用補助具。
【発明の詳細な説明】
【技術分野】
【０００１】
本発明は、例えば、自動車のバックドアのアウタパネルのような開口を有するパネル部材を作業工程間で搬送する際に補助的に使用されるワーク搬送用補助具に関する。
【背景技術】
【０００２】
自動車の車体を構成するパネル部材は、プレス工程や溶接工程を経て製造される。この場合、パネル部材は、夫々の作業工程間を、例えば、特許文献１に開示されているような、吸着可能な把持部を備えたロボットハンドを用いて搬送される。
【先行技術文献】
【特許文献】
【０００３】
【特許文献１】特開２００７−３８３７０号公報
【発明の概要】
【発明が解決しようとする課題】
【０００４】
ところが、前記ロボットハンドを用いた搬送装置は、それ自体が高コストであると共に、比較的大きな配置スペースが必要になるという問題がある。一方、搬送するワークのサイズ、形状、あるいは作業効率，スペース効率等の観点から前記ロボットハンド等を用いずに、作業者の手作業でパネル部材を搬送する場合がある。この場合、作業者は、パネル部材を、その形状，サイズ等に応じて適正な複数箇所を把持することにより変形，破損が生じないように配慮しつつ搬送することとなる。
【０００５】
しかし、例えばバックドアのアウタパネルを手作業で搬送する場合のように、パネル部材が大型であるため、作業者がアウタパネルの一側からアクセスし、適正な複数箇所を把持することが困難であり、しかも窓用の大きな開口の縁部が十分な剛性を有しないため、アウタパネルの変形,破損が生じ易いと言う問題が懸念される。
【０００６】
本発明は、前記従来の状況に鑑みてなされたもので、大型のパネル部材をその一側からアクセスして搬送する場合にも、パネル部材の変形,破損を生じることなく、かつ良好な作業性でもって搬送できるワーク搬送用補助具を提供することを課題としている。
【課題を解決するための手段】
【０００７】
請求項１の発明は、開口を有するパネル部材を搬送する際に用いられるワーク搬送用補助具であって、前記開口の一側から他側に延びる支持部材と、該支持部材の一側端部に設けられ、前記開口の一側縁部に係止する第１係止部と、前記支持部材の他側端部に設けられ、前記開口の他側縁部に係止する第２係止部と、前記第１係止部,第２係止部を互いに離間する方向に付勢する付勢部材と、前記支持部材に設けられ該支持部材を操作可能とする把手とを備えたことを特徴としている。
【発明の効果】
【０００８】
請求項１の発明に係るワーク搬送用補助具を用いてパネル部材を搬送する場合には、作業者は、一方の手で補助具の把手を持ち、第１係止部又は第２係止部の一方を一方の開口縁部に係止させ、両係止部を付勢力に抗して縮小させ、他方の係止部を他方の開口縁部に係止させ、この状態でパネル部材を搬送する。
【０００９】
このように本発明では、大型のパネル部材にこれの一側からアクセスした場合でも、開口部の一側縁部，他側縁部の２ヶ所を支持でき、パネル部材の一部に大きな自重が作用するのを回避してパネル部材の変形や破損を防止できる。さらに作業者は他方の手でパネル部材を把持することもでき、このようにした場合は前記２ヶ所とここから離れた部分の３カ所を支持でき、その結果、パネル部材の変形や破損をより一層確実に防止できる。
【００１０】
また、付勢部材により第１,第２係止部を離間する方向に付勢したので、把手を持って一方の係止部を一方の開口縁部に係止させるとともに、両係止部を付勢力に抗して縮小させ、他方の係止部を他方の開口縁部に対向させて把手への力を緩めることで、片手の操作により第１,第２係止部で一側，他側縁部を容易確実に係止することができ、操作性が良好である。さらにまた支持部材に把手を設けたので、該把手を持って該補助具自体を移動させる作業も容易である。
【図面の簡単な説明】
【００１１】
【図１】本発明の実施例１に係るワーク搬送用補助具をパネル部材に係止させた状態を示す模式図である。
【図２】前記補助具の断面側面図(図１のII-II線断面図)である。
【図３】前記補助具の平面図である。
【図４】前記補助具を使用した搬送作業を説明するための工程図である。
【発明を実施するための形態】
【００１２】
以下、本発明の実施形態を添付図面に基づいて説明する。
【実施例１】
【００１３】
図１において、符号１は自動車用バックドアのアウタパネルであり、車内側から見た状態が示されている。図４に示すように、前記アウタパネル１は、作業者により搬送用補助具２を用いてパレット３上の第１ステーションから重ね合わせ台４上の第２ステーションに搬送され、ここでインナパネル５と重ね合わされる。この重合体はヘミング加工用金型６上に移送され、アウタパネル１の周縁でインナパネル５の周縁を折り曲げ挟持するヘミング加工が施されてバックドア本体となり、該バックドア本体はさらに次工程７に移送される。なお、前記アウタパネル１は、パレット３上においては起立状態で搭載されており、前記重ね合わせ台４上においては、水平状態に搭載される。
【００１４】
前記アウタパネル１は、パネル本体下部１ａとパネル本体上部１ｂとで構成されており、該パネル本体上部１ｂには、バックドアガラスが配設される開口１ｃが形成されている。ここで、本実施例１の前記アウタパネル１は、車両デザインの都合上、前記パネル本体上部１ｂの前記開口１ｃ周縁部と前記パネル本体下部１ａとの接続境界部１ｄが幅狭なっている。そのため、この接続境界部１ｄは、アウタパネル１単体を水平にしてオーバーハング状態に支持すると、前記パネル本体上部１ｂの自重を支持するのに十分な剛性を有しない場合がある。
【００１５】
前記搬送用補助具２は、前記開口１ｃの上側縁から下側縁に渡るように延びるパイプ状の支持部材８と、該支持部材８の、上端（一側端部）に設けられた上部係止部（第１係止部）９と、下端（他側端部）に設けられた下部係止部（第２係止部）１０とを有する。
【００１６】
前記支持部材８は、上部パイプ１１と、該上部パイプ１１が伸縮可能に挿入された下部パイプ１２とからなり、上部パイプ１１の上端に前記上部係止部９が溶接固定され、下部パイプ１２の下端に前記下部係止部１０が溶接固定されている。
【００１７】
前記上部係止部９は、横断面視でコ字形状に形成され、前記開口１ｃの上縁部（一側縁部）１ｅに係止可能となっている。また前記下部係止部１０は、横断面視でＬ字形状に形成され、前記開口１ｃの下縁部（他側縁部）１ｆに係止可能となっている。
【００１８】
前記上部パイプ１１と前記下部パイプ１２との間には、前記上部係止部９と前記下部係止部１０とを互いに離間する方向に付勢するコイルタイプのばね１３が下記構造により介在されている。
【００１９】
前記上部パイプ１１には、把手１４が設けられている。この把手１４は前記上部パイプ１１に固定されたボス部１４ａと、該ボス部１４ａに固定され、前記パネル本体下部１ａ側に屈曲して延びるアーム部１４ｂと、該アーム部１４ｂの下端部に固定された把持部１４ｃとを有する。前記ばね１３は、前記ボス部１４ａと前記下部パイプ１２の上端面との間に配置され、さらに前記ばね１３の上，下端部は、前記ボス部１４ａ，下部パイプ１２に溶接されている。このようにばね１３を溶接することにより、この搬送用補助具２の保管状態において上部，下部パイプ１１，１２が分離するのを防止している。
【００２０】
本実施例１に係る搬送用補助具２を用いてアウタパネル１を搬送する場合には、作業者は、一方の手ｈ１で把持部１４ｃを持ち、前記第１ステーションのパレット３上に起立状態で配置されているアウタパネル１の開口１ｃの下縁部１ｆに補助具２の下部係止部１０を係止させ、把手１４を下方に引っ張って上部係止部９をばね１３の付勢力に抗して下方に移動させ、該上部係止部９を上縁部１ｅに対向させると共に把手１４への引っ張り力を緩めることにより該上部係止部９を上縁部１ｅに係止させる。さらに、他方の手ｈ２でアウタパネル１の前記上縁部１ｅ，下縁部１ｆの延長線上に位置する部分１ｇを把持し、この状態でアウタパネル１を搬送し、前記重ね合わせ台４上に水平状態に載置する。
【００２１】
このように本実施例では、大型のアウタパネル１にこれの一側Ａからアクセスした場合でも、開口１ｃの上縁部１ｅ,下縁部１ｆ及びここから離れた部分１ｇの３カ所を支持でき、アウタパネル１を水平状態にしても接続境界部１ｄに大きな自重が作用するのを回避でき、該接続境界部１ｄが変形したり、破損したりするのを防止できる。
【００２２】
また、ばね１３で上部係止部９，下部係止部１０が離間する方向に付勢したので、把手１４を手で持って両係止部９，１０を付勢力に抗して縮小させ、把手１４への力を緩めることで、片手の操作により上部，下部係止部９，１０を上，下縁部１ｅ，１ｆに容易確実に係止させることができ、操作性が良好である。また、上部係止部９と下部係止部１０との間隔を調整可能であるので、前記開口１ｃの大きさが多少異なるワークの搬送にも対応可能である。
【００２３】
さらにまた上部係止部９をコ字形状とし、下部係止部１０をＬ字形状としたので、下部係止部１０の下縁部１ｆへの係止動作が容易であり、かつ上部係止部９の上縁部１ｅへの係止が確実であり、アウタパネル１を確実に支持できると共に、作業性を向上できる。
【００２４】
また、把手１４を設けたので、このワーク搬送用補助具２自体を移動させる移動作業を、この把手１４を持つことで容易確実に行うことができる。
【００２５】
なお、前記実施例では、上部係止部，下部係止部がそれぞれ１つの場合を説明したが、本発明では、第１，第２係止部をそれぞれ複数備えていても良い。このようにした場合は、アウタパネル１をより安定的に支持して搬送できる。
【符号の説明】
【００２６】
１  アウタパネル（パネル部材）
１ｃ  開口
１ｅ  上縁部（一側縁部）
１ｆ  下縁部（他側縁部）
２  ワーク搬送用補助具
３  パレット（第１ステーション）
４  重ね合わせ台（第２ステーション）
８  支持部材
９  上部係止部（第１係止部）
１０  下部係止部（第２係止部）
１３  ばね(付勢部材)
１４  把手
【図１】
2013136284.tif 000003
【図２】
2013136284.tif 000004
【図３】
2013136284.tif 000005
【図４】
2013136284.tif 000006